(57)【要約】【課題】  携帯電話による通話時の通話遅延の情報をユーザに提示し、通信品質を選んだ会話を可能とする。【解決手段】  ＤＴＭＦジェネレータ１２ａはコード信号を生成し、発信者側携帯端末２ａの音声入力部２３ａに供給する。発信者側携帯端末２ａはコード信号を基地局を介して送信する。受信者側携帯端末２ｂはこれを受信し、受信側装置１ｂのＤＴＭＦデコーダ１３ｂは受信したコード信号を復号する。コード判定部１４ｂは復号されたコード信号が所定の桁数を持つか否かを判定し、所定の桁数であった場合、これを音声入力部２３ｂに供給する。受信者側携帯端末２ｂはコード信号を送信し、送信者側携帯端末２ａはこれを受信する。遅延計算部１５ａは、この受信時刻と発信時刻との時間差を遅延時間として算出し、品質表示制御部１６ａは算出結果を発信者側携帯端末２ａの表示部２２ａに表示させる。【選択図】  図２
2005039746.tif 000002
【特許請求の範囲】
【請求項１】
表示手段と通信手段とを備える携帯端末に接続される装置であって、
所定のコード信号を生成するコード信号生成手段と、
前記コード信号を音声信号に変換する信号変換手段と、
前記音声信号を前記携帯端末から他の通信端末へと送信させる送信制御手段と、
前記送信時の送信時刻を記憶する送信時刻記憶手段と、
前記他の通信端末から前記音声信号が返信された場合に、前記携帯端末が前記音声信号を受信した受信時刻を記憶する受信時刻記憶手段と、
前記送信時刻と前記受信時刻との時間差を算出する算出手段と、
前記算出の算出結果を前記携帯端末の前記表示手段に表示させる表示制御手段と、
を備えることを特徴とする通信品質表示装置。
【請求項２】
前記携帯端末が受信した前記音声信号をコード信号へと復号する復号手段と、
前記復号されたコード信号と前記コード信号生成手段が生成した前記コード信号とが一致するか否かを判定するコード判定手段と、
をさらに備え、
一致すると判定した場合にのみ、前記算出手段は前記時間差を算出する、
ことを特徴とする請求項１に記載の通信品質表示装置。
【請求項３】
前記携帯端末が受信した音声信号をコード信号へと復号する復号手段と、
復号された前記コード信号が所定の条件を満足するか否かを判定するコード判定手段と、
をさらに備え、
所定の条件を満足すると判定した場合に、前記信号変換手段は前記復号されたコード信号を音声信号に変換し、前記送信制御手段は前記変換された音声信号を前記携帯端末から前記音声信号の送信元へと返信させる、
ことを特徴とする請求項１に記載の通信品質表示装置。
【請求項４】
通信手段と、
所定のコード信号を生成するコード信号生成手段と、
前記コード信号を音声信号に変換する信号変換手段と、
前記音声信号を他の通信端末へと送信する送信手段と、
前記送信時の送信時刻を記憶する送信時刻記憶手段と、
前記他の通信端末から前記音声信号が返信された場合に、前記音声信号を受信した受信時刻を記憶する受信時刻記憶手段と、
前記送信時刻と前記受信時刻との時間差を算出する算出手段と、
前記算出結果を表示する表示手段と、
を備えることを特徴とする通信品質表示装置。
【請求項５】
受信した前記音声信号をコード信号へと復号する復号手段と、
前記復号されたコード信号と前記コード信号生成手段が生成した前記コード信号とが一致するか否かを判定するコード判定手段と、
をさらに備え、
一致すると判定した場合にのみ、前記算出手段は前記時間差を算出する、
ことを特徴とする請求項４に記載の通信品質表示装置。
【請求項６】
受信した音声信号をコード信号へと復号する復号手段と、
復号された前記コード信号が所定の条件を満足するか否かを判定するコード判定手段と、
をさらに備え、
所定の条件を満足すると判定した場合に、前記信号変換手段は前記復号されたコード信号を音声信号に変換し、前記送信制御手段は前記変換された音声信号を前記音声信号の送信元へと返信する、
ことを特徴とする請求項４に記載の通信品質表示装置。
【請求項７】
相互に通信を行う第１の装置と第２の装置との間で、
前記第１の装置において、所定のコード信号を生成し、該コード信号を復号可能な音声信号に変換し、該音声信号を前記第２の装置に送信し、送信時刻を記憶し、
前記第２の装置は、前記音声信号を受信し、受信した前記音声信号をコード信号へと復号し、復号された前記コード信号が所定の条件を満足するか否かを判定し、所定の条件を満足すると判定した場合に前記復号されたコード信号を音声信号に変換し、変換した前記音声信号を前記第１の装置に送信し、
前記第１の装置は、前記音声信号を受信し、受信時刻を記憶し、前記送信時刻と前記受信時刻との時間差を算出し、算出結果を視認できる形で表示する、
ことを特徴とする通信品質表示方法。
【発明の詳細な説明】
【技術分野】
【０００１】
この発明は、携帯端末における通信の品質を表示する技術に関する。より詳細には、携帯端末による通話時に生じる音声の遅延時間を算出し、通話者に提示する技術に関する。
【背景技術】
【０００２】
携帯端末による通話では、携帯端末により音声情報をデジタル信号に変換し、その携帯端末に対応した基地局が公衆網と通話相手に対応した基地局を経由し、通話相手の携帯端末にてデジタル信号から音声信号に復号される過程を経る。即ち、通信は全二重化されている。
【０００３】
携帯端末には、対応している基地局と携帯端末との間の電波状態を示すメータが装備されている。メータは対応する基地局が変更された場合、その基地局と携帯端末との間の電波状態を動的に示すことができる（例えば、特許文献１。）。
【特許文献１】特開平５−３４４０６０（例えば、図１）
【発明の開示】
【発明が解決しようとする課題】
【０００４】
携帯端末における音声情報のデジタル化や基地局間の電波状態に応じた信号再送、通話相手の携帯端末における復号化の過程で、通話遅延が生じる。この通話遅延は、割り当てられた基地局との間の距離や電波状況、基地局の利用者数に応じて増大する。基地局に近く電波状態がよい場合でも、基地局の利用者数が多い場合には通話遅延が増大するため、携帯端末に表示される電波状態を示すメーターがよい状態を示したとしても、通話遅延が生じないとは限らない。また、電波状態が悪いからといって通話遅延が大きいわけではない。したがって、電波状態を示すメーターは通信品質を同定するための情報とはいえない。
【０００５】
そのため現状では、割り当てられた基地局と携帯端末との間で、電波状態の良い位置を探して通話を行おうとするが、通話音声情報の明瞭度は向上するかもしれないが、通信品質を把握した上で通話をすることができない。
【０００６】
本発明は、上記実状に鑑みて為されたものであり、携帯端末での通話中に、通信品質を通話者に提示する装置を実現することを目的とする。
【課題を解決するための手段】
【０００７】
上記目的を達成するため、本発明の第１の観点に係る装置は、
表示手段と通信手段とを備える携帯端末に接続される装置であって、
所定のコード信号を生成するコード信号生成手段と、
前記コード信号を音声信号に変換する信号変換手段と、
前記音声信号を前記携帯端末から他の通信端末へと送信させる送信制御手段と、
前記送信時の送信時刻を記憶する送信時刻記憶手段と、
前記他の通信端末から前記音声信号が返信された場合に、前記携帯端末が前記音声信号を受信した受信時刻を記憶する受信時刻記憶手段と、
前記送信時刻と前記受信時刻との時間差を算出する算出手段と、
前記算出の算出結果を前記携帯端末の前記表示手段に表示させる表示制御手段と、
を備えることを特徴とする。
【０００８】
この構成によれば、音声信号を送信してそれが返信されるまでにかかる時間を確認しながら、携帯端末を用いての通話を行うことができる。
【０００９】
前記携帯端末が受信した前記音声信号をコード信号へと復号する復号手段と、
前記復号されたコード信号と前記コード信号生成手段が生成した前記コード信号とが一致するか否かを判定するコード判定手段と、
をさらに備え、
一致すると判定した場合にのみ、前記算出手段は前記時間差を算出するものであってよい。
【００１０】
この構成によれば、何らかの誤りで異なったコード信号を受信してしまった場合に、装置の誤作動を防止することができる。
【００１１】
前記携帯端末が受信した音声信号をコード信号へと復号する復号手段と、
復号された前記コード信号が所定の条件を満足するか否かを判定するコード判定手段と、
をさらに備え、
所定の条件を満足すると判定した場合に、前記信号変換手段は前記復号されたコード信号を音声信号に変換し、前記送信制御手段は前記変換された音声信号を前記携帯端末から前記音声信号の送信元へと返信させるものであってもよい。
【００１２】
この構成によれば、受信側で音声信号を復号する作業によって生じる時間の遅延を確認しながら、携帯端末を用いての通話を行うことができる。
【００１３】
本発明の第２の観点に係る通信品質表示装置は、
通信手段と、
所定のコード信号を生成するコード信号生成手段と、
前記コード信号を音声信号に変換する信号変換手段と、
前記音声信号を他の通信端末へと送信する送信手段と、
前記送信時の送信時刻を記憶する送信時刻記憶手段と、
前記他の通信端末から前記音声信号が返信された場合に、前記音声信号を受信した受信時刻を記憶する受信時刻記憶手段と、
前記送信時刻と前記受信時刻との時間差を算出する算出手段と、
前記算出結果を表示する表示手段と、
を備えることを特徴とする。
【００１４】
この構成によれば、携帯電話に接続しなくても、装置単独で本発明の目的が実現可能となる。
【００１５】
受信した前記音声信号をコード信号へと復号する復号手段と、
前記復号されたコード信号と前記コード生成手段が生成した前記コード信号とが一致するか否かを判定するコード判定手段と、
をさらに備え、
一致すると判定した場合にのみ、前記算出手段は前記時間差を算出するものであってよい。
【００１６】
受信した音声信号をコード信号へと復号する復号手段と、
復号された前記コード信号が所定の条件を満足するか否かを判定するコード判定手段と、
をさらに備え、
所定の条件を満足すると判定した場合に、前記信号変換手段は前記復号されたコード信号を音声信号に変換し、前記送信制御手段は前記変換された音声信号を前記音声信号の送信元へと返信するものであってよい。
【００１７】
本発明の第３の観点に係る通信品質表示方法は、
相互に通信を行う第１の装置と第２の装置との間で、
前記第１の装置において、所定のコード信号を生成し、該コード信号を復号可能な音声信号に変換し、該音声信号を前記第２の装置に送信し、送信時刻を記憶し、
前記第２の装置は、前記音声信号を受信し、受信した前記音声信号をコード信号へと復号し、復号された前記コード信号が所定の条件を満足するか否かを判定し、所定の条件を満足すると判定した場合に前記復号されたコード信号を音声信号に変換し、変換した前記音声信号を前記第１の装置に送信し、
前記第１の装置は、前記音声信号を受信し、受信時刻を記憶し、前記送信時刻と前記受信時刻との時間差を算出し、算出結果を視認できる形で表示する、
ことを特徴とする。
【００１８】
この構成によれば、２台の装置間で遅延時間を認識しながらの通話が可能となる。
【発明の効果】
【００１９】
通信品質を確認しながら、携帯端末での通話を行うことが可能となる。
【発明を実施するための最良の形態】
【００２０】
以下、図面を参照しつつ、本発明の実施の形態に係る通信品質表示装置を説明する。
（第１の実施の形態）
【００２１】
本実施の形態に係る通信品質表示装置１は、任意の携帯端末に接続可能に形成されており、図１に示すように、制御部１１と、ＤＴＭＦジェネレータ１２と、ＤＴＭＦデコーダ１３と、コード判定部１４と、遅延計算部１５と、品質表示制御部１６と、ミキサ１７と、記憶部１８と、を有している。また、通信品質表示装置１の隣に図示するのは通信品質表示装置１が取り付け可能な任意の携帯端末２であり、制御部２１と、表示部２２と、音声入力部２３と音声出力部２４と、通信部２５と、アンテナ２６と、を有する。
【００２２】
制御部１１は、通信品質表示装置１の全体の動作を制御するためのものであり、マイクロプロセッサ等から構成され、記憶部１８に格納された動作プログラムに従って動作する。また制御部１１は、計時機能を有する図示せぬ内部タイマを備え、音声信号（コード信号）の送信時および受信時の時刻を計時して、記憶部１８に記憶させる。
【００２３】
ＤＴＭＦジェネレータ１２は、所定のコード信号を連続的に生成し、復号可能な形に変換して携帯端末２の音声入力部２３に供給する。具体的には、一般に携帯端末２で通話相手を呼び出すために用いられるＤＴＭＦ（Dial Tone Multi Frequency）方式を利用してコード信号を音声情報に変換し、携帯端末２の音声入力部２３に供給する。本実施の形態では、携帯端末２に付与されている１１桁の電話番号をコードとして用いるものとする。尚、ＤＴＭＦジェネレータ１２は、携帯端末２が通話可能状態である間、連続的にコード信号を生成し続ける。
【００２４】
ＤＴＭＦデコーダ１３は、携帯電話２の音声出力部２４から転送された音声信号を復号してコード信号の形に変換し、コード判定部１４に供給する。
【００２５】
コード判定部１４は、ＤＴＭＦデコーダ１３によって復号されたコード信号が正しいものであるか否か、あるいは復号されたコード信号がＤＴＭＦジェネレータ１２で生成されたものであるか否かを判定する。
【００２６】
遅延計算部１５は、携帯端末２がコード信号を送信した時刻を記憶部１８から呼び出し、また、携帯電話２がコード信号を受信した時刻を記憶部１８から呼び出して、これらから通話の遅延時間を算出する。
【００２７】
品質表示制御部１６は、遅延計算部１５が算出した遅延時間から、現在おこなわれている通話の品質を判定して判定結果を携帯端末２に供給し、表示部２２に視認可能な所定の形に変換して表示させる。
【００２８】
ミキサ１７は、コード判定部１４からコード信号を受け取り、それを音声信号に変換して携帯端末２の音声入力部２３に供給する。
【００２９】
記憶部１８は、フラッシュメモリやハードディスク装置等から構成され、制御部１１の動作を規定する動作プログラムを格納する。また、制御部１１からの指示を受けて、制御部２１の内部タイマが計時した時刻を記憶する。
【００３０】
携帯端末２は、通信品質表示装置１が取り付け可能な任意の携帯端末であり、制御部２１と、表示部２２と、音声入力部２３と、音声出力部２４と、通信部２５と、アンテナ２６と、を備える。
【００３１】
制御部２１は、マイクロプロセッサ等から構成され、この携帯端末２全体の動作を制御するためのものである。制御部２１は、ＯＳ（オペレーティングシステム）の制御の下、例えば図示せぬ記憶装置に記録されているプログラムを読み出して、各種のアプリケーション等を実行する。
【００３２】
表示部２２は、例えばＬＣＤパネル等から構成され、制御部２１や、通信品質表示装置１の品質表示制御部１６の制御に従った画像等を表示するためのものである。
【００３３】
音声入力部２３は、携帯端末２の通話時に音声信号の入力を行う部分であり、マイクロフォン等から構成される。音声出力部２４は、音声信号の出力を行う部分であり、スピーカ等から構成される。
【００３４】
通信部２５は、通常携帯電話機が備えている機能として基地局と情報の交換をするものであり、制御部２１からの指示に基づいて、データを送受信する。
【００３５】
本実施の形態に係る通信品質表示装置１は、動作時において、その役割から発信側装置１ａと受信側装置１ｂとに区別することができる。図２に示すように、発信側装置１ａと受信側装置１ｂとは所定の基地局を介して通信を行う。発信側装置１ａにおける１１ａ〜１８ａと、受信側装置１ｂにおける１１ｂ〜１８ｂとは、図１に示した通信品質表示装置１における１１〜１８の各部分にそれぞれ対応している。尚、発信側装置１ａと受信側装置１ｂとが動作する過程において必要でない部分（動作に用いられない部分）は、ここでは省略して図示している。
【００３６】
本実施の形態に係る通信品質表示装置１の発信側装置１ａの動作を図３のフローチャートを参照して説明する。まず、発信者が発信者側携帯端末２ａに受信者側（通話相手）の電話番号を入力し、携帯端末間の通信路を確立する。発信者側携帯端末２ａは通話可能状態に入る。この状態から、発信側装値１ａの動作がスタートする。
【００３７】
まず、制御部１１ａは、発信者側携帯端末２ａが通話状態であることを示す所定レベルの信号を発信者側携帯端末２ａから受信すると、ＤＴＭＦジェネレータ１２ａに対してコード信号を生成するよう指示を送る。ＤＴＭＦジェネレータ１２ａは、所定のコード信号を連続的に生成し、生成したコード信号をＤＴＭＦ信号の形に変換して発信者側携帯端末２ａの音声入力部２３ａに入力する。制御部１１ａは、発信者側携帯端末２ａに指示を出し、入力されたＤＴＭＦ信号を、所定の基地局を介して通話相手である受信者側携帯端末２ｂに送信させる（ステップＳ１０１）。制御部１１ａは、ＤＴＭＦ信号が送信されたことを示す所定の割り込み信号を発信者側携帯端末２ａから受け取り、送信時刻を記憶部１８ａに記憶させる（ステップＳ１０２）。また、制御部１１ａは記憶部１８ａから後述する待機モードを制御する所定のプログラムを呼び出し、自己の内部タイマに従って所定時間のカウントダウンを始める。
【００３８】
発信側装置１ａおよび発信者側携帯端末２ａは、受信者側携帯端末２ｂからＤＴＭＦ信号が送られてくる（エコーバックされる）のを待つ、待機モードに入る（ステップＳ１０３）。制御部１１ａは、待機モードに突入してから所定時間が経過したか否かを判別する（ステップＳ１０４）。待機中のまま発信者側携帯端末２ａがＤＴＭＦ信号を受信せずに所定時間が経過してしまった場合、即ちタイムアウトになった場合（Ｓ１０４：Ｙｅｓ）、そのまま処理を終える。
【００３９】
一方、所定時間経過前に、ＤＴＭＦ信号を受信したことを示す所定の信号が発信者側携帯端末２ａの制御部２１ａから出され、制御部１１ａがそれを受け取った場合（Ｓ１０４：Ｎｏ）、制御部１１ａは現在の時刻を受信時刻として記憶部１８ａに記憶させる（ステップＳ１０５）。また、制御部１１ａは発信者側携帯端末２ａの制御部２１ａに対して、受信したＤＴＭＦ信号を発信側装置１ａに転送するよう要求する。その要求を受けて、発信者側携帯端末２ａは自身の音声出力部２４ａに指示を出して、受信したＤＴＭＦ信号を発信側装置１ａのＤＴＭＦデコーダ１３ａに供給させる。ＤＴＭＦデコーダ１３ａは、音声出力部２４ａからＤＴＭＦ信号を受け取り、それを復号する（ステップＳ１０６）。
【００４０】
制御部１１ａはＤＴＭＦデコーダ１３ａに、復号したコード信号をコード判定部１４ａに転送するよう指示する。ＤＴＭＦデコーダ１３ａはその指示を受けて、復号したコード信号をコード判定部１４ａに供給する。コード判定部１４ａは、復号されたコード信号を受け取り、ステップＳ１０１において送信したコード信号と合致するか否かを判定する（ステップＳ１０７）。
【００４１】
コードが合致しなかった場合（Ｓ１０７：Ｎｏ）、そのまま処理を終える。一方、コードが合致した場合（Ｓ１０７：Ｙｅｓ）、コード判定部１４ａはその旨を告げる所定の信号を制御部１１ａに発信する。それを受けて、制御部１１ａは、記憶部１８ａに記憶されている送信時刻と受信時刻とを呼び出し、それらを遅延計算部１５ａに供給する。遅延計算部１５ａは、その送信時刻と受信時刻との時間差を算出し（ステップＳ１０８）、算出結果を品質表示制御部１６ａに供給する。
【００４２】
品質表示制御部１６ａは、遅延計算部１５ａから供給された遅延時間を１）０．０秒以上０．３秒未満、２）０．３秒以上０．５秒未満、３）０．５秒以上の３段階の通信品質に分別する。制御部１１ａは、品質表示制御部１６ａに指示を送り、分別結果を発信者側携帯端末２ａに転送させる。発信者側携帯端末２ａの制御部２１ａは、分別結果を受け取ると表示部２２ａに指示を出し、分別結果を視認できる形で表示させる（ステップＳ１０９）。具体的には、携帯端末と基地局との間の電波状態を示す従来の表示の色を、分別された通信品質に基づいて青（０．０秒以上０．３秒未満）、黄（０．３秒以上０．５秒未満）、赤（０．５秒以上）の３色に変換して表示する。
【００４３】
以上が、発信側装置１ａ及び発信者側携帯端末２ａの処理動作である。発信側装置１ａ及び発信者側携帯端末２ａは、発信者と受信者との間の通話が終了するまで、この一連の動作を繰り返す。
【００４４】
次に、受信側装置１ｂの処理動作を図４のフローチャートを参照して説明する。動作の開始時点は、発信側装置１ａの場合と同様、発信者側携帯端末２ａと受信者側携帯端末２ｂとが通話可能状態に入った時点である。
【００４５】
まず、受信者側携帯端末２ｂが通話状態であることを示す所定の信号が受信者側携帯端末２ｂから送信され、制御部１１ｂがそれを受信すると、制御部１１ｂは受信側装置１ｂの各部全体に、発信者側携帯端末２ａからのＤＴＭＦ信号の送信を待つ、信号待ちの状態（信号待ちモード）になるよう、指示を送る（ステップＳ２０１）。また、制御部１１ｂは記憶部１８ｂから信号待ちモードを制御する所定のプログラムを呼び出し、自己の内部タイマに従って所定時間のカウントダウンを始める。
【００４６】
制御部１１ｂは、信号待ちモードに突入してから所定時間が経過したか否かを判別する（ステップＳ２０２）。待機中のままで、携帯端末２ｂがＤＴＭＦ信号を受信せずに所定時間が経過してしまった場合、即ちタイムアウトになった場合（Ｓ２０２：Ｙｅｓ）、処理はリターンにジャンプする。
【００４７】
一方、所定時間経過前である場合（Ｓ２０２：Ｎｏ）、制御部１１ｂはＤＴＭＦ信号を受信したことを示す所定の信号が受信者側携帯端末２ｂの制御部２１ｂから出されているか否かを判別する（ステップＳ２０３）。制御部１１ｂが所定の信号を受信していない場合（Ｓ２０３：Ｎｏ）、処理はステップＳ２０２に戻る。一方、制御部１１ｂが所定の信号を受け取った場合（Ｓ２０３：Ｙｅｓ）、制御部１１ｂは受信者側携帯端末２ｂの制御部２１ｂに対して、受信したＤＴＭＦ信号を受信側装置１ｂに転送するよう要求する。その要求を受けて、受信者側携帯端末２ｂの制御部２１ｂは音声出力部２４ｂに指示を出し、受信したＤＴＭＦ信号を受信側装置１ｂのＤＴＭＦデコーダ１３ｂに供給させる。ＤＴＭＦデコーダ１３ｂは、音声出力部２４ｂからＤＴＭＦ信号を受け取り、それを復号する（ステップＳ２０４）。
【００４８】
制御部１１ｂはＤＴＭＦデコーダ１３ｂに、復号したコード信号をコード判定部１４ｂに転送するよう指示する。ＤＴＭＦデコーダ１３ｂはその指示を受けて、復号したコード信号をコード判定部１４ｂに供給する。コード判定部１４ｂは、復号されたコード信号を受け取り、そのコード信号が所定の桁数のものであるか否かを判定する（ステップＳ２０５）。
【００４９】
所定の桁数と異なるコードであると判定した場合（Ｓ２０５：Ｎｏ）、処理はリターンにジャンプする。一方、所定の桁数を持ったコードであると判定した場合（Ｓ２０５：Ｙｅｓ）、コード判定部１４ｂはその旨を告げる信号を制御部１１ｂに発信する。それを受けて、制御部１１ｂは、判定したコード信号をミキサ１７ｂに供給するよう、コード判定部１４ｂに指示を送る。コード判定部１４ｂはその指示に従って、判定されたコードをミキサ１７ｂに供給する。ミキサ１７ｂはコード判定部１４ｂから供給されたコード信号をＤＴＭＦ信号に変換し、受信者側携帯端末２ｂの音声入力部２３ｂに入力する（ステップＳ２０６）。受信者側携帯端末２ｂは、入力されたＤＴＭＦ信号を、自己の通信部２５ｂから基地局を介して発信者側携帯端末２ａに送信する。
【００５０】
以上が受信側装置１ｂ及び受信者側携帯端末２ｂの処理動作である。受信側装置１ｂ及び受信者側携帯端末２ｂは、発信者と受信者との間の通話が終了するまで、発信側装置１ａが連続発生しているコード信号を受信しながら同時に送信する（エコーバックさせる）動作を繰り返す。
【００５１】
以上説明したように、上記構成によれば、通話の際に生じる遅延時間を通信品質として提示することにより、状況に応じて通信品質を選択した通話を行うことが可能となる。また、通話中に携帯端末の表示部２２に通信品質がリアルタイムで表示されるため、ユーザはその表示を視認して通信品質を確認しながら通話することができる。また、音声情報をコード信号として利用するため、特定の携帯端末や通信方式、加入キャリアに依存せずに通信品質を提供することが可能である。
（第２の実施の形態）
【００５２】
本実施の形態に係る通信品質表示装置１ｃは、携帯電話端末を応用したものであり、図５に示すように、制御部１１ｃと、ＤＴＭＦジェネレータ１２ｃと、ＤＴＭＦデコーダ１３ｃと、コード判定部１４ｃと、遅延計算部１５ｃと、品質表示制御部１６ｃと、ミキサ１７ｃと、記憶部１８ｃと、表示部２２ｃと、音声入力部２３ｃと音声出力部２４ｃと、通信部２５ｃと、アンテナ２６ｃと、を有する。通信品質表示装置１ｃは上述の実施例１のものとほぼ同様の処理動作を示すため、ここでの説明は省略する。
【００５３】
本実施の形態に係る通信品質表示装置１ｃが上述の通信品質表示装置１（１ａ及び１ｂ）と異なる点は、携帯電話の内部に通信品質表示のための機能が全て備わっている点である。この構成によれば、装置全体の大きさを抑えつつ、通話遅延を視認しながらの通話が可能となる。
【００５４】
尚、本発明の通信品質表示装置は上記実施の形態に限られず、様々な変形及び応用が可能である。
【００５５】
例えば、本実施の形態ではコード信号として携帯端末２の電話番号を用いるとしたが、これに限られず、電話番号以外の専用のコード信号を用いることももちろん可能である。
【００５６】
また、上記実施の形態では、電波状態を示す従来の表示の色を青、黄、赤の３色に変換することによって通信品質を表示するとしたが、表示方法はこれに限定されない。例えば、通信品質を示す弱、中、強などの文字を画面の片隅に表示させるような構成も、勿論可能である。
【００５７】
また、通信品質の分類も上記の３段階に限定されるものではなく、２段階で分類してもよいし、もっと詳細に何段階にも分類させることも可能である。
【図面の簡単な説明】
【００５８】
【図１】本発明の実施の形態に係る通信品質表示装置の構成図である。
【図２】本実施の形態に係る通信品質表示装置の発信側装置と受信側装置とが基地局を介して送受信する様子を模式的に示した図である。
【図３】発信側装置の処理動作を説明するためのフローチャートである。
【図４】受信側装置の処理動作を説明するためのフローチャートである。
【図５】通信品質表示装置が携帯端末と一体である場合の構成図を示した図である。
【符号の説明】
【００５９】
１１、１１ａ、１１ｂ  制御部
１２、１２ａ  ＤＴＭＦジェネレータ
１３、１３ａ、１３ｂ  ＤＴＭＦデコーダ
１４、１４ａ、１４ｂ  コード判定部
１５、１５ａ  遅延計算部
１６、１６ａ  品質表示制御部
１７、１７ｂ  ミキサ
１８、１８ａ、１８ｂ  記憶部
２１、２１ａ、２１ｂ  制御部
２２、２２ａ  表示部
２３、２３ａ、２３ｂ  音声入力部
２４、２４ａ、２４ｂ  音声出力部
２５、２５ａ、２５ｂ  通信部
２６、２６ａ、２６ｂ  アンテナ
【図１】
2005039746.tif 000003
【図２】
2005039746.tif 000004
【図３】
2005039746.tif 000005
【図４】
2005039746.tif 000006
【図５】
2005039746.tif 000007